(57)【特許請求の範囲】
【請求項１】
通常モードと、前記通常モードよりも消費電力が少ない省エネモードとによる動作を行う自動原稿搬送装置であって、
本体部と、
閉状態の場合に前記本体部と共に原稿の搬送経路を形成し、開状態の場合に前記搬送経路を露出させるカバーと、
前記自動原稿搬送装置の状態が、（ｉ）原稿が前記搬送経路の搬送開始位置に配置されている状態と、前記カバーが開状態との少なくとも一方の状態である第一状態であるか、（ｉｉ）原稿が前記搬送開始位置に配置されていない状態であり、かつ、前記カバーが閉状態である第二状態であるか、を検出する第一検出部と、
前記カバーの開閉状態のみを検出する第二検出部と、
前記通常モードの場合に前記第一検出部および前記第二検出部の電源をオンにし、前記省エネモードの場合に前記第一検出部の電源をオンにし、かつ、前記第二検出部の電源をオフにする電源制御部と
を備え、
前記電源制御部は、前記第一状態であることが前記第一検出部により検出された場合に、前記省エネモードから前記通常モードに移行し、
前記第一検出部は、
前記カバーに配置され、前記カバーが閉状態の場合のみに所定の位置に移動可能な爪部と、
前記本体部に配置され、前記爪部が前記所定の位置にあることを検出することで、前記自動原稿搬送装置が前記第二状態であることを検出するフォトセンサと、
第一の位置と第二の位置との間を回転することにより移動可能な原稿検出用爪部と、
前記カバーが閉状態の場合であって、前記原稿検出用爪部が前記第一の位置に回転して移動した場合に前記爪部を前記所定の位置に回転して移動させ、前記原稿検出用爪部が前記第一の位置から前記第二の位置側に回転して移動した場合に前記爪部を前記所定の位置とは別の位置に回転して移動させる回転伝動軸と
を有し、
前記原稿検出用爪部は、
前記自動原稿搬送装置が前記第二状態である場合に、前記第一の位置に位置し、
前記カバーが閉状態の場合に、前記搬送開始位置に配置された原稿に押し出されることによって、前記第一の位置から前記第一の位置以外の位置に移動する
自動原稿搬送装置。
【請求項２】
通常モードと、前記通常モードよりも消費電力が少ない省エネモードとによる動作を行う自動原稿搬送装置であって、
本体部と、
閉状態の場合に前記本体部と共に原稿の搬送経路を形成し、開状態の場合に前記搬送経路を露出させるカバーと、
前記自動原稿搬送装置の状態が、（ｉ）原稿が前記搬送経路の搬送開始位置に配置されている状態と、前記カバーが開状態との少なくとも一方の状態である第一状態であるか、（ｉｉ）原稿が前記搬送開始位置に配置されていない状態であり、かつ、前記カバーが閉状態である第二状態であるか、を検出する第一検出部と、
前記カバーの開閉状態のみを検出する第二検出部と、
前記通常モードの場合に前記第一検出部および前記第二検出部の電源をオンにし、前記省エネモードの場合に前記第一検出部の電源をオンにし、かつ、前記第二検出部の電源をオフにする電源制御部と
を備え、
前記電源制御部は、前記第一状態であることが前記第一検出部により検出された場合に、前記省エネモードから前記通常モードに移行し、
前記第一検出部は、
前記カバーに配置され、前記カバーが閉状態の場合のみに所定の位置に移動可能な爪部と、
前記本体部に配置され、前記爪部が前記所定の位置にあることを検出することで、前記自動原稿搬送装置が前記第二状態であることを検出するフォトセンサと
を有し、
前記爪部は、
前記自動原稿搬送装置の状態が前記第二状態である場合に、前記所定の位置に位置し、
前記カバーが閉状態の場合に、前記搬送開始位置に配置された原稿に押し出されることによって、前記所定の位置から前記所定の位置とは別の位置に移動する
自動原稿搬送装置。
【請求項３】
通常モードと、前記通常モードよりも消費電力が少ない省エネモードとによる動作を行う自動原稿搬送装置であって、
本体部と、
閉状態の場合に前記本体部と共に原稿の搬送経路を形成し、開状態の場合に前記搬送経路を露出させるカバーと、
前記自動原稿搬送装置の状態が、（ｉ）原稿が前記搬送経路の搬送開始位置に配置されている状態と、前記カバーが開状態との少なくとも一方の状態である第一状態であるか、（ｉｉ）原稿が前記搬送開始位置に配置されていない状態であり、かつ、前記カバーが閉状態である第二状態であるか、を検出する第一検出部と、
前記カバーの開閉状態のみを検出する第二検出部と、
前記通常モードの場合に前記第一検出部および前記第二検出部の電源をオンにし、前記省エネモードの場合に前記第一検出部の電源をオンにし、かつ、前記第二検出部の電源をオフにする電源制御部と
を備え、
前記電源制御部は、前記第一状態であることが前記第一検出部により検出された場合に、前記省エネモードから前記通常モードに移行し、
前記第一検出部は、
前記カバーに配置され、所定の位置と、前記所定の位置とは別の位置との間を回転することにより移動可能な爪部と、
前記カバーに配置され、前記爪部が前記所定の位置にあることを検出することで、前記自動原稿搬送装置が前記第二状態であることを検出するフォトセンサと、
第一の位置と第二の位置との間を回転することにより移動可能な回転検出用爪部と、
前記回転検出用爪部が前記第一の位置に回転して移動した場合に前記爪部を前記所定の位置に回転して移動させ、前記回転検出用爪部が前記第一の位置から前記第二の位置側に回転して移動した場合に前記爪部を前記所定の位置とは別の位置に回転して移動させる回転伝動軸と
を有し、
前記回転検出用爪部は、
前記カバーが開状態の場合に前記第一の位置以外の位置に位置し、
前記自動原稿搬送装置の状態が前記第二状態である場合に、前記第一の位置に位置し、
前記カバーが閉状態の場合に、前記搬送開始位置に配置された原稿に押し出されることによって、前記第一の位置の位置から前記第一の位置以外の位置に移動する
自動原稿搬送装置。
【請求項４】
通常モードと、前記通常モードよりも消費電力が少ない省エネモードとによる動作を行う自動原稿搬送装置であって、
本体部と、
閉状態の場合に前記本体部と共に原稿の搬送経路を形成し、開状態の場合に前記搬送経路を露出させるカバーと、
前記自動原稿搬送装置の状態が、（ｉ）原稿が前記搬送経路の搬送開始位置に配置されている状態と、前記カバーが開状態との少なくとも一方の状態である第一状態であるか、（ｉｉ）原稿が前記搬送開始位置に配置されていない状態であり、かつ、前記カバーが閉状態である第二状態であるか、を検出する第一検出部と、
前記カバーの開閉状態のみを検出する第二検出部と、
前記通常モードの場合に前記第一検出部および前記第二検出部の電源をオンにし、前記省エネモードの場合に前記第一検出部の電源をオンにし、かつ、前記第二検出部の電源をオフにする電源制御部と
を備え、
前記電源制御部は、前記第一状態であることが前記第一検出部により検出された場合に、前記省エネモードから前記通常モードに移行し、
前記第一検出部は、
前記カバーに配置され、所定の位置と、前記所定の位置とは別の位置との間を回転することにより移動可能な爪部と、
前記カバーに配置され、前記爪部が前記所定の位置にあることを検出することで、前記自動原稿搬送装置が前記第二状態であることを検出するフォトセンサと
を有し、
前記爪部は、
前記カバーが開状態の場合に前記所定の位置とは別の位置に位置し、
前記自動原稿搬送装置の状態が前記第二状態である場合に、前記所定の位置に位置し、
前記カバーが閉状態の場合に、前記搬送開始位置に配置された原稿に押し出されることによって、前記所定の位置から前記所定の位置とは別の位置に移動する
自動原稿搬送装置。
【請求項５】
さらに、
原稿の搬送を行う原稿搬送部と、
前記原稿搬送部により搬送された原稿をスキャンするスキャナ部と
を備え、
前記電源制御部は、さらに、
前記通常モードから前記省エネモードに移行した場合、前記原稿搬送部および前記スキャナ部の電源をオフにし、
前記省エネモードから前記通常モードに移行した場合であって、前記カバーが前記第二検出部により閉状態であると検出された場合に、前記原稿搬送部および前記スキャナ部の電源をオンにする
請求項１から４のいずれか１項に記載の自動原稿搬送装置。
【請求項６】
請求項１から５のいずれか１項に記載の自動原稿搬送装置を備えるネットワーク複合機。
【発明の詳細な説明】
【技術分野】
【０００１】
本発明は、通常モードと、通常モードよりも消費電力が少ない省エネモードとによる動作を行う自動原稿搬送装置に関するものである。
【背景技術】
【０００２】
１枚以上の原稿を１枚ずつスキャナに搬送して、スキャナにおいて１枚ずつ原稿の読み取りを行う自動原稿搬送装置がある。このような自動原稿搬送装置において、通常モードと通常モードよりも消費電力が少ない省エネモードとを備えたものがある。
【０００３】
例えば、特許文献１の自動原稿搬送装置では、原稿が所定の位置に載置されたことを検出する異なる二種類の動作原理の原稿検出センサを備えている。一つは、所定の位置に開けられた穴に光を通し、原稿が所定の位置に載置された場合に、穴を上に載置された原稿から反射された光を検出することにより原稿の有無を検出する原稿台原稿検出センサである。もう一つは、原稿が載置された状態で、原稿によってレバーによるフォトインタラプタの光の遮断を解除されることを検出することにより原稿の有無を検出する給紙部原稿検出センサである。特許文献１では、原稿があることを原稿台原稿検出センサが検出した場合に省エネモードから通常モードに移行し、その後に給紙部原稿検出センサがさらに原稿があることを検出しなかった場合に省エネモードにすぐに移行する。これにより、環境光の強弱が検出されることによる原稿台原稿検出センサの誤検出があってもすぐに省エネモードに移行させることにより、誤検出による省エネモードから通常モードへの移行を最小限にしている。
【先行技術文献】
【特許文献】
【０００４】
【特許文献１】特開２００４−２９５０３７号公報
【発明の概要】
【発明が解決しようとする課題】
【０００５】
このような自動原稿搬送装置においては、原稿の搬送経路において紙詰まり等が発生した場合に、紙詰まりなどを解消できるように、カバーを開けることによって原稿の搬送経路を露出可能なカバーが設けられている。また、自動原稿搬送装置には、カバーが開閉したことをユーザに対して報知することができるように、カバーの開閉状態を検出するカバー開閉検出センサが設けられている。したがって、省エネモードにおいても、カバー開閉検出センサの電源をオンにして、カバーが開状態であることを検出した場合に、ユーザに報知するためにエラー表示を行う必要がある。また、特許文献１のように原稿が所定の位置に載置された場合には、ユーザが通常モードに復帰するための操作を行わなくても、原稿が載置されたことを検出するのみで通常モードに復帰させるというニーズがある。つまり、省エネモードにおいては、原稿を検出するセンサと、カバーの開閉状態を検出するセンサとの少なくとも２つのセンサの電源をオンにしておく必要がある。しかしながら、省エネモードにおいては、消費電力を抑えるために極力通電しておくセンサの数を減らした方が好ましい。
【０００６】
そこで、本発明は、このような状況に鑑みてなされたものであり、消費電力を極力抑えることのできる省エネモードを有する自動原稿搬送装置を提供することを目的とする。
【課題を解決するための手段】
【０００７】
上記目的を達成するために、本発明の一形態に係る自動原稿搬送装置は、通常モードと、前記通常モードよりも消費電力が少ない省エネモードとによる動作を行う自動原稿搬送装置であって、本体部と、閉状態の場合に前記本体部と共に原稿の搬送経路を形成し、開状態の場合に前記搬送経路を露出させるカバーと、前記自動原稿搬送装置の状態が、（ｉ）原稿が前記搬送経路の搬送開始位置に配置されている状態と、前記カバーが開状態との少なくとも一方の状態である第一状態であるか、（ｉｉ）原稿が前記搬送開始位置に配置されていない状態であり、かつ、前記カバーが閉状態である第二状態であるか、を検出する第一検出部と、前記カバーの開閉状態のみを検出する第二検出部と、前記通常モードの場合に前記第一検出部および前記第二検出部の電源をオンにし、前記省エネモードの場合に前記第一検出部の電源をオンにし、かつ、前記第二検出部の電源をオフにする電源制御部とを備え、前記電源制御部は、前記第一状態であることが前記第一検出部により検出された場合に、前記省エネモードから前記通常モードに移行し、前記第一検出部は、前記カバーに配置され、前記カバーが閉状態の場合のみに所定の位置に移動可能な爪部と、前記本体部に配置され、前記爪部が前記所定の位置にあることを検出することで、前記自動原稿搬送装置が前記第二状態であることを検出するフォトセンサと、第一の位置と第二の位置との間を回転することにより移動可能な原稿検出用爪部と、前記カバーが閉状態の場合であって、前記原稿検出用爪部が前記第一の位置に回転して移動した場合に前記爪部を前記所定の位置に回転して移動させ、前記原稿検出用爪部が前記第一の位置から前記第二の位置側に回転して移動した場合に前記爪部を前記所定の位置とは別の位置に回転して移動させる回転伝動軸とを有し、前記原稿検出用爪部は、前記自動原稿搬送装置が前記第二状態である場合に、前記第一の位置に位置し、前記カバーが閉状態の場合に、前記搬送開始位置に配置された原稿に押し出されることによって、前記第一の位置から前記第一の位置以外の位置に移動する。
【０００８】
これによれば、原稿が搬送経路の搬送開始位置にあることと、カバーが開状態であることとの少なくとも一方が起こっていることを第一検出部が検出する。このため、第二検出部が起動していない状態であっても、カバーが閉状態であって、かつ、原稿が搬送開始位置にない状態であることを検出することができる。
【０００９】
通常モードから省エネモードへの移行には、カバーが閉状態であることと、原稿が搬送開始位置にないこととの両方が必須である。この理由は、前者ではカバーが開状態である場合には、ユーザにカバーが開状態であることを示すエラー表示を行う必要があるためである。また、後者ではカバーが閉状態であって原稿が搬送開始位置にある場合にはユーザが原稿の読み取り開始を行う動作を開始したと判断しスキャナの電源をオンにする必要があるためである。すなわち、前者および後者の両方の条件が成立する場合に、初めて省エネモードに移行でき、その条件を一つのセンサで判定できれば、省エネ状態においてそれ以外のセンサの電源をオフにすることができる。
【００１０】
つまり本発明では、第一検出部が、カバーが閉状態であることと、原稿が搬送開始位置にないこととの両方が起こっていることを判定できるため、省エネモードにおいてカバーの開閉を検出する第二検出部の電源をオフにすることができる。これにより、第一検出部とは別にカバーの開閉状態を検出する第二検出部の電源を省エネモードにおいてオフにすることができるため、省エネモードにおける消費電力をより低減させることができる。
【００１１】
また、さらに、原稿の搬送を行う原稿搬送部と、前記原稿搬送部により搬送された原稿をスキャンするスキャナ部とを備え、前記電源制御部は、さらに、前記通常モードから前記省エネモードに移行した場合、前記原稿搬送部および前記スキャナ部の電源をオフにし、前記省エネモードから前記通常モードに移行した場合であって、前記カバーが前記第二検出部により閉状態であると検出された場合に、前記原稿搬送部および前記スキャナ部の電源をオンにすることが好ましい。
【００１２】
これによれば、省エネモードから通常モードに復帰した場合に、カバーが第二検出部により閉状態であるか否かを確認する。そして、第二検出部が、カバーが閉状態であると検出した場合に、原稿搬送部およびスキャナ部の電源をオンにして、原稿の読み取り準備を行う。
【００１３】
上述したように、第一検出部は、原稿が搬送経路の搬送開始位置にあることと、カバーが開状態であることとの少なくとも一方が起こっていることを検出するため、単にカバーが開状態にされたことを検出して通常モードに移行する場合がある。カバーが閉状態である場合に限定すれば、原稿が搬送経路の搬送開始位置にあることと、カバーが開状態であることとの少なくとも一方が起こっていることを第一検出部が検出する場合には、原稿が搬送経路の搬送開始位置にあることを検出していることになる。つまり、第一検出部が動作したことによって省エネモードから通常モードに移行した場合に、電源制御部は、カバーが閉状態であることを第二検出部から確認することで、原稿が搬送経路の搬送開始位置にあることを判断できる。
【００１４】
このように、カバーが閉状態であって原稿が搬送経路の搬送開始位置にあることを確認した後に、原稿の読み取りを行うための原稿搬送部およびスキャナ部の電源を入れる。つまり、省エネモードから通常モードに移行した場合には、カバーが開状態であることを検出すれば、電源制御部は原稿搬送部およびスキャナ部の電源はオフのままに制御するため、消費電力を無駄に消費することを低減させることができる。
【００１６】
また、本発明の一形態に係る自動原稿搬送装置は、通常モードと、前記通常モードよりも消費電力が少ない省エネモードとによる動作を行う自動原稿搬送装置であって、本体部と、閉状態の場合に前記本体部と共に原稿の搬送経路を形成し、開状態の場合に前記搬送経路を露出させるカバーと、前記自動原稿搬送装置の状態が、（ｉ）原稿が前記搬送経路の搬送開始位置に配置されている状態と、前記カバーが開状態との少なくとも一方の状態である第一状態であるか、（ｉｉ）原稿が前記搬送開始位置に配置されていない状態であり、かつ、前記カバーが閉状態である第二状態であるか、を検出する第一検出部と、前記カバーの開閉状態のみを検出する第二検出部と、前記通常モードの場合に前記第一検出部および前記第二検出部の電源をオンにし、前記省エネモードの場合に前記第一検出部の電源をオンにし、かつ、前記第二検出部の電源をオフにする電源制御部とを備え、前記電源制御部は、前記第一状態であることが前記第一検出部により検出された場合に、前記省エネモードから前記通常モードに移行し、前記第一検出部は、前記カバーに配置され、前記カバーが閉状態の場合のみに所定の位置に移動可能な爪部と、前記本体部に配置され、前記爪部が前記所定の位置にあることを検出することで、前記自動原稿搬送装置が前記第二状態であることを検出するフォトセンサとを有し、前記爪部は、前記自動原稿搬送装置の状態が前記第二状態である場合に、前記所定の位置に位置し、前記カバーが閉状態の場合に、前記搬送開始位置に配置された原稿に押し出されることによって、前記所定の位置から前記所定の位置とは別の位置に移動する形態とすることもできる。
【００１７】
また、本発明の一形態に係る自動原稿搬送装置は、通常モードと、前記通常モードよりも消費電力が少ない省エネモードとによる動作を行う自動原稿搬送装置であって、本体部と、閉状態の場合に前記本体部と共に原稿の搬送経路を形成し、開状態の場合に前記搬送経路を露出させるカバーと、前記自動原稿搬送装置の状態が、（ｉ）原稿が前記搬送経路の搬送開始位置に配置されている状態と、前記カバーが開状態との少なくとも一方の状態である第一状態であるか、（ｉｉ）原稿が前記搬送開始位置に配置されていない状態であり、かつ、前記カバーが閉状態である第二状態であるか、を検出する第一検出部と、前記カバーの開閉状態のみを検出する第二検出部と、前記通常モードの場合に前記第一検出部および前記第二検出部の電源をオンにし、前記省エネモードの場合に前記第一検出部の電源をオンにし、かつ、前記第二検出部の電源をオフにする電源制御部とを備え、前記電源制御部は、前記第一状態であることが前記第一検出部により検出された場合に、前記省エネモードから前記通常モードに移行し、前記第一検出部は、前記カバーに配置され、所定の位置と、前記所定の位置とは別の位置との間を回転することにより移動可能な爪部と、前記カバーに配置され、前記爪部が前記所定の位置にあることを検出することで、前記自動原稿搬送装置が前記第二状態であることを検出するフォトセンサと、第一の位置と第二の位置との間を回転することにより移動可能な回転検出用爪部と、前記回転検出用爪部が前記第一の位置に回転して移動した場合に前記爪部を前記所定の位置に回転して移動させ、前記回転検出用爪部が前記第一の位置から前記第二の位置側に回転して移動した場合に前記爪部を前記所定の位置とは別の位置に回転して移動させる回転伝動軸とを有し、前記回転検出用爪部は、前記カバーが開状態の場合に前記第一の位置以外の位置に位置し、前記自動原稿搬送装置の状態が前記第二状態である場合に、前記第一の位置に位置し、前記カバーが閉状態の場合に、前記搬送開始位置に配置された原稿に押し出されることによって、前記第一の位置の位置から前記第一の位置以外の位置に移動する形態とすることもできる。
【００１８】
また、本発明の一形態に係る自動原稿搬送装置は、通常モードと、前記通常モードよりも消費電力が少ない省エネモードとによる動作を行う自動原稿搬送装置であって、本体部と、閉状態の場合に前記本体部と共に原稿の搬送経路を形成し、開状態の場合に前記搬送経路を露出させるカバーと、前記自動原稿搬送装置の状態が、（ｉ）原稿が前記搬送経路の搬送開始位置に配置されている状態と、前記カバーが開状態との少なくとも一方の状態である第一状態であるか、（ｉｉ）原稿が前記搬送開始位置に配置されていない状態であり、かつ、前記カバーが閉状態である第二状態であるか、を検出する第一検出部と、前記カバーの開閉状態のみを検出する第二検出部と、前記通常モードの場合に前記第一検出部および前記第二検出部の電源をオンにし、前記省エネモードの場合に前記第一検出部の電源をオンにし、かつ、前記第二検出部の電源をオフにする電源制御部とを備え、前記電源制御部は、前記第一状態であることが前記第一検出部により検出された場合に、前記省エネモードから前記通常モードに移行し、前記第一検出部は、前記カバーに配置され、所定の位置と、前記所定の位置とは別の位置との間を回転することにより移動可能な爪部と、前記カバーに配置され、前記爪部が前記所定の位置にあることを検出することで、前記自動原稿搬送装置が前記第二状態であることを検出するフォトセンサとを有し、前記爪部は、前記カバーが開状態の場合に前記所定の位置とは別の位置に位置し、前記自動原稿搬送装置の状態が前記第二状態である場合に、前記所定の位置に位置し、前記カバーが閉状態の場合に、前記搬送開始位置に配置された原稿に押し出されることによって、前記所定の位置から前記所定の位置とは別の位置に移動する形態とすることもできる。
【００１９】
また、本発明は、このような自動原稿搬送装置を内蔵するネットワーク複合機として実現することもできる。
【発明の効果】
【００２０】
本発明に係る自動原稿搬送装置によれば、省エネモードにおける消費電力をより低減させることができる。
【図面の簡単な説明】
【００２１】
【図１】本実施の形態におけるネットワーク複合機の斜視図である。
【図２】自動原稿搬送装置の斜視図である。
【図３】自動原稿搬送装置のカバーを開けた状態の斜視図である。
【図４】原稿検出センサとカバー開閉検出センサとの概略構成図である。
【図５】原稿検出センサの動作原理を示す図である。
【図６】自動原稿搬送装置の省エネモードから通常モードへの復帰処理に係る機能ブロック図である。
【図７】自動原稿搬送装置の通常モード復帰処理の流れを示すフローチャートである。
【図８】（ａ）は、カバーが開状態になった場合の各センサへの電源オンおよびオフの制御の状態を示すタイムチャートであり、（ｂ）は、カバーが閉状態かつ原稿有りの場合の各センサへの電源オンおよびオフの制御の状態を示すタイムチャートである。
【図９】変形例（１）における原稿検出センサとカバー開閉検出センサとの概略構成図である。
【図１０】変形例（１）における原稿検出センサの動作原理を示す図である。
【図１１Ａ】（ａ）は変形例（２）におけるカバーが開状態における回転検出部を示す図であり、（ｂ）は変形例（２）におけるカバーが開状態におけるセンサ用爪部と原稿検出用フォトセンサとを示す図である。
【図１１Ｂ】（ａ）は変形例（２）におけるカバーが閉状態であって原稿無しの場合における回転検出部を示す図であり、（ｂ）は変形例（２）におけるカバーが閉状態であって原稿無しの場合におけるセンサ用爪部と原稿検出用フォトセンサとを示す図である。
【図１１Ｃ】（ａ）は変形例（２）におけるカバーが閉状態であって原稿有りの場合における回転検出部を示す図であり、（ｂ）は変形例（２）におけるカバーが閉状態であって原稿有りの場合における爪部とフォトセンサとを示す図である。
【図１２Ａ】変形例（３）におけるカバーが開状態における原稿検出センサを示す図である。
【図１２Ｂ】変形例（３）におけるカバーが閉状態であって原稿無しの場合における原稿検出センサを示す図である。
【図１２Ｃ】変形例（３）におけるカバーが閉状態であって原稿有りの場合における原稿検出センサを示す図である。
【発明を実施するための形態】
【００２２】
以下、本発明の実施の形態について、図面を用いて詳細に説明する。
【００２３】
図１は、本実施の形態における自動原稿搬送装置を含むネットワーク複合機の斜視図である。図２は、自動原稿搬送装置の斜視図である。図３は、自動原稿搬送装置のカバーを開けた状態を示す斜視図である。
【００２４】
図１に示すように、自動原稿搬送装置（ＡＤＦ：Ａｕｔｏｍａｔｉｃ  Ｄｏｃｕｍｅｎｔ  Ｆｅｅｄｅｒ）１００は、ネットワーク複合機１の最上部に装備され、複写しようとする原稿またはファクシミリを送信しようとする原稿を、スキャナ部６２（後述参照）の画像読取位置へと自動的に搬送する装置である。自動原稿搬送装置１００は、図２および図３に示すように、カバー１１と、読み取りを行う前の原稿が載置される給紙トレイ１２と、読み取りが行われた後の原稿が排出される排紙トレイ１３と、カバー１１と共に搬送経路７０を形成する本体部１４とを備える。なお、搬送経路７０に双方向をＸ方向とし、給紙トレイ１２上においてＸ方向と垂直な方向をＹ方向とし、高さ方向であってＸ方向およびＹ方向と垂直な方向をＺ方向とする。自動原稿搬送装置１００には、通常モードと、通常モードよりも消費電力が少ない省エネモードとの少なくとも２つのモードにおける動作を行う。
【００２５】
カバー１１は、閉状態の場合に本体部１４と共に原稿の搬送経路７０を形成し、開状態の場合に搬送経路７０を露出させる。カバー１１は、閉状態の場合に、本体部１４の手前側と奥側とに設けられる手前側カバー支持部１５および奥側カバー支持部１６において支持される。カバー１１の裏側には、原稿検出のための原稿検出部３０と、カバー１１の開閉を検出するためのカバー検出用爪部３５とが設けられる。
【００２６】
原稿検出部３０は、センサ用爪部３１と、回転伝動軸３２と、原稿検出用爪部３３と、回転軸固定部３４とを有する。ここで、図４は、原稿検出センサ２１とカバー開閉検出センサ２２との概略構成図である。原稿検出センサ２１（第一検出部）は、原稿検出部３０と原稿検出用フォトセンサ５１とから成る。原稿検出部３０のセンサ用爪部３１は、図４に示すように、カバー１１が開状態（図４の破線の状態）から閉状態となった場合に、奥側カバー支持部１６に設けられる第一孔４１の内部の原稿検出用フォトセンサ５１の第一センシング領域８１に位置する。原稿検出用フォトセンサ５１は、光を発光する発光部と、発光部により発行された光を受光する受光部とから成るいわゆるフォトインタラプタである。原稿検出用フォトセンサ５１は、発光部からの光が遮断されたことを受光部が検出したことにより、第一センシング領域８１に物体があることを判断する。つまり、ここでは、原稿検出用フォトセンサ５１は、センサ用爪部３１が第一センシング領域８１にあるか否かを検出する。原稿検出用フォトセンサ５１は、第一センシング領域８１に物体があることを検出すれば、その検出信号が「Ｈｉｇｈ」となり、第一センシング領域８１に物体がないことを検出すれば、その検出信号が「Ｌｏｗ」となる。なお、原稿検出用フォトセンサ５１が検出する検出信号の「Ｈｉｇｈ」および「Ｌｏｗ」と第一センシング領域８１に物体があることとの関係は、上記と逆であってもよい。
【００２７】
また、カバー開閉検出センサ２２（第二検出部）は、カバー検出用爪部３５とカバー開閉検出用フォトセンサ５２とから成る。カバー検出用爪部３５は、図４に示すように、カバー１１が開状態（図４の破線の状態）から閉状態となった場合に、奥側カバー支持部１６に設けられる第二孔４２の内部のカバー開閉検出用フォトセンサ５２の第二センシング領域８２に位置する。カバー開閉検出用フォトセンサ５２は、原稿検出用フォトセンサ５１と同様の構成であり、発光部からの光が遮断されたことを受光部が検出したことにより、第二センシング領域８２に物体があることを判断する。つまり、ここでは、カバー開閉検出用フォトセンサ５２は、カバー検出用爪部３５が第二センシング領域８２にあるか否かを検出する。これにより、カバー１１が開状態であるか閉状態であるかを検出している。カバー開閉検出用フォトセンサ５２は、第二センシング領域８２に物体があることを検出すれば、その検出信号が「Ｈｉｇｈ」となり、第二センシング領域８２に物体がないことを検出すれば、その検出信号が「Ｌｏｗ」となる。なお、カバー開閉検出用フォトセンサ５２が検出する検出信号の「Ｈｉｇｈ」および「Ｌｏｗ」と第一センシング領域８１に物体があることとの関係は、上記と逆であってもよい。
【００２８】
図５は、原稿検出センサ２１の動作原理を示す図である。上述したように原稿検出センサ２１は、センサ用爪部３１と、回転伝動軸３２と、原稿検出用爪部３３と、回転軸固定部３４と、原稿検出用フォトセンサ５１とから成る。
【００２９】
センサ用爪部３１は、カバー１１が閉状態の場合のみに原稿検出用フォトセンサ５１の第一センシング領域８１に移動可能である。つまり、カバー１１が開状態の場合には、センサ用爪部３１は、第一センシング領域８１に移動できない。原稿検出用爪部３３は、図５に示すように、第一の位置（図５の破線の位置）と第二の位置（図５の実線の位置）との間を回転することにより移動可能な構造である。回転伝動軸３２は、カバー１１が閉状態の場合であって、原稿検出用爪部３３が第一の位置に回転して移動した場合にセンサ用爪部３１を原稿検出用フォトセンサ５１の第一センシング領域８１に回転して移動させる。そして、原稿検出用爪部３３が原稿によって押し出されて第一の位置から第二の位置側に回転して移動した場合にセンサ用爪部３１を第一センシング領域８１とは別の位置に回転して移動させる。回転軸固定部３４は、図３に示すように、回転伝動軸３２をカバー１１に固定するための部材であって、回転伝動軸３２の軸受部として機能する。つまり、原稿検出センサ２１は、カバー１１が閉状態の場合において、原稿が搬送開始位置９０にないときに、センサ用爪部３１が第一センシング領域８１に位置するため、カバー１１が閉状態、かつ、原稿が搬送開始位置９０にないときに「Ｈｉｇｈ」になる。また、カバー１１が閉状態の場合において、原稿が設置されたときに原稿検出用爪部３３が原稿に押し出されることに連動して、センサ用爪部３１が第一センシング領域８１から外れた位置に位置するため、このときに「Ｌｏｗ」になる。つまり、原稿検出センサ２１は、原稿が搬送開始位置９０にない状態においては、カバー１１の開閉状態を検出することが可能である。
【００３０】
図６は、自動原稿搬送装置の省エネモードから通常モードへの復帰処理に係るブロック図である。
【００３１】
自動原稿搬送装置１００は、電源制御部１０１と、原稿検出センサ２１と、カバー開閉検出センサ２２と、読取検出センサ２３と、反転検出センサ２４と、原稿幅検出センサ２５と、原稿搬送部６１と、スキャナ部６２とを備える。
【００３２】
電源制御部１０１は、各種センサや各種機器の電源のオンオフの制御を行う制御部である。電源制御部１０１は、通常モードの場合に、原稿検出センサ２１、カバー開閉検出センサ２２、読取検出センサ２３、反転検出センサ２４、原稿幅検出センサ２５、原稿搬送部６１およびスキャナ部６２の電源をオンにする。ただし、電源制御部１０１は、省エネモードから通常モードに移行した直後に原稿搬送部６１およびスキャナ部６２の電源をオンにしない。この点の制御については後述する。電源制御部１０１はまた、省エネモードの場合に、原稿検出センサ２１の電源をオンにし、カバー開閉検出センサ２２、読取検出センサ２３、反転検出センサ２４、原稿幅検出センサ２５、原稿搬送部６１およびスキャナ部６２の電源をオフにする。電源制御部１０１は、原稿検出センサ２１により原稿が搬送経路７０の搬送開始位置９０にあることと、カバーが開状態であることとの少なくとも一方が起こっていることが検出された場合に、省エネモードから通常モードに移行する。つまり、電源制御部１０１は、原稿検出センサ２１の原稿検出用フォトセンサ５１の第一センシング領域８１に物体が検出されない状態となった場合に、省エネモードから通常モードに移行する。電源制御部１０１は、省エネモードから通常モードに移行した場合であって、カバー１１がカバー開閉検出センサ２２により閉状態であると検出された場合に、原稿搬送部６１およびスキャナ部６２の電源をオンにする。
【００３３】
原稿検出センサ２１およびカバー開閉検出センサ２２の説明は上述と同様であるため省略する。
【００３４】
読取検出センサ２３は、原稿がスキャナ部６２の読み取り位置に達したか否かを検出するセンサである。反転検出センサ２４は、原稿が給紙トレイ１２から搬送経路７０を通過して、その下の排紙トレイ１３に至るまでの間にＸ方向が変化する位置である反転位置に達したか否かを検出するセンサである。原稿幅検出センサ２５は、Ｙ方向における原稿の幅を検出するセンサである。
【００３５】
原稿搬送部６１は、原稿を給紙トレイ１２の搬送開始位置９０から搬送経路７０を経て排紙トレイ１３に至るまでの間に配置される原稿を搬送するためのローラ（図示せず）と、ローラを駆動するモータ（図示せず）とから成る。
【００３６】
スキャナ部６２は、原稿をスキャンするためのイメージセンサおよびイメージセンサに原稿の像を導くレンズなどの光学系から成る。
【００３７】
次に、以上のように構成された本実施の形態における通常モード復帰処理の処理手順について説明する。
【００３８】
図７は、自動原稿搬送装置の通常モード復帰処理の流れを示すフローチャートである。図８は、（ａ）が、カバーが開状態になった場合の各センサへの電源オンおよびオフの制御の状態を示すタイムチャートであり、（ｂ）が、カバーが閉状態かつ原稿有りの場合の各センサへの電源オンおよびオフの制御の状態を示すタイムチャートである。
【００３９】
図７に示すように、所定時間（例えば１０分間）、ネットワーク複合機１の操作が行われなかった場合に、通常モードから省エネモードへと移行する。具体的には、省エネモードに移行する場合に、電源制御部１０１は、原稿検出センサ２１の電源をオンにし、カバー開閉検出センサ２２を含むその他のセンサ２２〜２５の電源をオフにし、原稿搬送部６１およびスキャナ部６２の電源をオフにする（Ｓ１０１）。図８を参照して、各センサ２１〜２５および各機器６１、６２の電源制御について説明する。図８（ａ）および（ｂ）に示すように、省エネモードに移行した第一のタイミングＴ１において、原稿検出センサ２１以外の電源がオフになる。
【００４０】
次に、電源制御部１０１は、原稿検出センサ２１により原稿が搬送経路７０の搬送開始位置９０にあることと、カバー１１が開状態であることとの少なくとも一方が起こっていること（以下、「検出状態」という。）が検出されたか否かを確認する（Ｓ１０２）。つまり、電源制御部１０１は、原稿検出センサ２１の原稿検出用フォトセンサ５１の第一センシング領域８１にセンサ用爪部３１が位置する状態から、センサ用爪部３１が第一センシング領域８１以外の位置に位置する状態へ変化したか否かを確認する。
【００４１】
電源制御部１０１は、原稿検出センサ２１が検出状態となった場合（Ｓ１０２：Ｙｅｓ）に、カバー開閉検出センサ２２および各種センサ２３〜２５の電源をオンにする（Ｓ１０３）。このとき、図８（ａ）および（ｂ）に示すように、第二のタイミングＴ２において原稿検出センサ２１が「Ｌｏｗ」となる。この場合に、第二のタイミングＴ２の後の第三のタイミングＴ３において、カバー開閉検出センサ２２の電源がオンになる。なお、電源制御部１０１は、原稿検出センサ２１が検出状態とならなかった場合（Ｓ１０２：Ｎｏ）に、ステップＳ１０２を繰り返す。
【００４２】
電源制御部１０１は、カバー開閉検出センサ２２によりカバー１１が開状態であることを検出しているか否かを確認する（Ｓ１０４）。つまり、電源制御部１０１は、カバー開閉検出センサ２２のカバー開閉検出用フォトセンサ５２の第二センシング領域８２にカバー検出用爪部３５が位置するか否かを確認する。
【００４３】
電源制御部１０１は、カバー開閉検出センサ２２によりカバー１１が開状態であることを検出された場合（Ｓ１０４：Ｙｅｓ）に、カバー１１が開状態であることをユーザに報知するために表示部（図示せず）に「カバー開」のエラー表示を行う（Ｓ１０５）。このとき、図８（ａ）に示すように、第四のタイミングＴ４においてカバー開閉検出センサ２２が「Ｌｏｗ」となる。この場合に、第四のタイミングＴ４の後に原稿搬送部６１およびスキャナ部６２の電源をオフにしたままとする。
【００４４】
電源制御部１０１は、カバー開閉検出センサ２２によりカバー１１が閉状態であることを検出された場合（Ｓ１０４：Ｎｏ）に、「カバー開」のエラー表示があるか否かの確認を行う（Ｓ１０６）。
【００４５】
電源制御部１０１は、「カバー開」のエラー表示がある場合（Ｓ１０６：Ｙｅｓ）に、表示部の「カバー開」のエラー表示を解除する（Ｓ１０７）。
【００４６】
電源制御部１０１は、「カバー開」のエラー表示がない場合（Ｓ１０６：Ｎｏ）、または、ステップＳ１０７の後に、原稿搬送部６１およびスキャナ部６２の電源をオンにする（Ｓ１０８）。このとき、図８（ｂ）に示すように、第四のタイミングＴ４においてカバー開閉検出センサ２２が「Ｌｏｗ」となる。この場合に、第四のタイミングＴ４の後の第五のタイミングＴ５において、原稿搬送部６１およびスキャナ部６２の電源がオンになる。
【００４７】
ステップＳ１０８において、カバー１１が閉状態となっており、かつ、原稿の搬送経路７０の搬送開始位置９０に原稿が載置されていることが確認されたため、電源制御部１０１は、ユーザが原稿の読み取りを開始させるために原稿を載置したものと判断する。そして、自動的にユーザの行動を判断することにより、省エネモードから通常モードへ復帰させて、スキャナによる原稿の読み込みの準備を開始する。
【００４８】
以上のように本実施の形態の自動原稿搬送装置１００によれば、原稿が搬送経路７０の搬送開始位置９０にあることと、カバー１１が開状態であることとの少なくとも一方が起こっていることを第一検出部としての原稿検出センサ２１が検出する。このため、第二検出部としてのカバー開閉検出センサ２２が起動していない状態であっても、カバー１１が閉状態であって、かつ、原稿が搬送開始位置９０にない状態であることを検出することができる。
【００４９】
ところで、通常モードから省エネモードへの移行には、カバー１１が閉状態であることと、原稿が搬送開始位置９０にないこととの両方が必須である。この理由は、前者ではカバー１１が開状態である場合には、ユーザにカバー１１が開状態であることを示すエラー表示を行う必要があるためである。また、後者ではカバー１１が閉状態であって原稿が搬送開始位置９０にある場合にはユーザが原稿の読み取り開始を行う動作を開始したと判断しスキャナ（各種センサ２３〜２５、原稿搬送部６１およびスキャナ部６２）の電源をオンにする必要があるためである。すなわち、前者および後者の両方の条件が成立する場合に、初めて省エネモードに移行でき、その条件を一つのセンサで判定できれば、省エネ状態においてそれ以外の各種センサ２３〜２５の電源をオフにすることができる。
【００５０】
本実施の形態の自動原稿搬送装置１００では、原稿検出センサ２１が、カバー１１が閉状態であることと、原稿が搬送開始位置９０にないこととの両方が起こっていることを判定できる。このため、電源制御部１０１は、省エネモードにおいてカバー１１の開閉を検出するカバー開閉検出センサ２２の電源をオフにすることができる。これにより、原稿検出センサ２１とは別にカバー１１の開閉状態を検出するカバー開閉検出センサ２２の電源を省エネモードにおいてオフにすることができるため、省エネモードにおける消費電力をより低減させることができる。
【００５１】
また、本実施の形態の自動原稿搬送装置１００によれば、省エネモードから通常モードに復帰した場合に、カバー１１がカバー開閉検出センサ２２により閉状態であるか否かを確認する。そして、カバー１１が閉状態であることをカバー開閉検出センサ２２が検出した場合に、原稿搬送部６１およびスキャナ部６２の電源をオンにする原稿の読み取り準備を行う。
【００５２】
原稿検出センサ２１は、原稿が搬送経路７０の搬送開始位置９０にあることと、カバー１１が開状態であることとの少なくとも一方が起こっていることを検出するため、単にカバー１１が開状態にされたことを検出して通常モードに移行する場合がある。カバー１１が閉状態である場合に限定して、以下に説明する。原稿検出センサ２１の検出信号が「Ｌｏｗ」になる場合には、原稿が搬送経路７０の搬送開始位置９０にあることを検出していることになる。原稿検出センサ２１の検出信号が「Ｌｏｗ」になる場合とは、原稿が搬送経路７０の搬送開始位置９０にあることと、カバー１１が開状態であることとの少なくとも一方が起こっていることを原稿検出センサ２１が検出する場合である。つまり、原稿検出センサ２１が動作したことにより省エネモードから通常モードに移行した場合、電源制御部１０１は、カバー１１が閉状態であることをカバー開閉検出センサ２２から確認することで、原稿が搬送経路７０の搬送開始位置９０にあることを判断できる。
【００５３】
このように、電源制御部１０１は、カバー１１が閉状態であって原稿が搬送経路７０の搬送開始位置９０にあることを確認した後に、原稿の読み取りを行うための原稿搬送部６１およびスキャナ部６２の電源を入れる。つまり、省エネモードから通常モードに移行した場合に、カバー１１が開状態であることをカバー開閉検出センサ２２が検出すれば、電源制御部１０１は原稿搬送部６１およびスキャナ部６２の電源はオフのままに制御するため、消費電力を無駄に消費することを低減させることができる。
【００５４】
（変形例）
以上、本発明に係る情報処理装置について、実施の形態に基づいて説明したが、本発明は、この実施の形態に限定されるものではない。
【００５５】
つまり、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５６】
（１）
上記実施の形態の自動原稿搬送装置１００では、原稿検出センサ２１を構成する原稿検出部３０が、原稿により押し出される原稿検出用爪部３３と、原稿検出用フォトセンサ５１に直接作用するセンサ用爪部３１とが分離されている。しかし、この形態に限らずに、一体型であってもよい。
【００５７】
図９は、変形例（１）における原稿検出センサとカバー開閉検出センサとの概略構成図である。カバー１１に取り付けられる爪部１３１は、カバー１１が閉状態の場合に、図９の破線の状態から実線の状態となる。このように、爪部１３１は、回転軸１４１を軸としてカバー１１に固定されており、カバー１１の開閉状態にかかわらず、回転軸１４１から下側に垂れる。そして、カバー１１が閉状態の場合に、原稿検出用フォトセンサ１５１（フォトセンサ）の第一センシング領域１８１（所定の位置）に位置する。これにより、原稿が搬送開始位置９０にない状態において、カバー１１の開閉状態を検出できる原稿検出センサ１２１としてもよい。
【００５８】
図１０は、変形例（１）における原稿検出センサの動作原理を示す図である。図１０に示すように、爪部１３１は、カバー１１が閉状態での場合であって、搬送開始位置９０に原稿が配置されていない場合に、原稿検出用フォトセンサ１５１の第一センシング領域１８１に位置する（図１０の破線の状態）。爪部１３１は、カバー１１が閉状態の場合に、搬送開始位置９０に配置された原稿に押し出されることによって、原稿検出用フォトセンサ１５１の第一センシング領域１８１から第一センシング領域１８１とは別の位置に移動する。なお、この場合に、原稿検出用フォトセンサ１５１は、上記実施の形態における原稿検出用フォトセンサ５１と異なり、原稿の有無を判定するための部材とフォトセンサに作用する部材とを兼用するために、原稿が載置される搬送開始位置９０の直下に配置される。
【００５９】
（２）
上記実施の形態の自動原稿搬送装置１００では、原稿検出センサ２１を構成する原稿検出用フォトセンサ５１は、本体部１４側に配置されているが、これに限らずに、カバー１１に配置してもよい。
【００６０】
図１１Ａは、（ａ）が変形例（２）におけるカバー２１１が開状態における回転検出部２３３を示す図であり、（ｂ）が変形例（２）におけるカバーが開状態におけるセンサ用爪部２３１（爪部）と原稿検出用フォトセンサ２５１（フォトセンサ）とを示す図である。図１１Ｂは、（ａ）が変形例（２）におけるカバーが閉状態であって原稿無しの場合における回転検出部を示す図であり、（ｂ）が変形例（２）におけるカバーが閉状態であって原稿無しの場合におけるセンサ用爪部と原稿検出用フォトセンサとを示す図である。図１１Ｃは、（ａ）が変形例（２）におけるカバーが閉状態であって原稿有りの場合における回転検出部を示す図であり、（ｂ）が変形例（２）におけるカバーが閉状態であって原稿有りの場合における爪部とフォトセンサとを示す図である。なお、図１１Ａ、図１１Ｂおよび図１１Ｃの（ａ）と（ｂ）とでは、Ｙ方向の位置が異なる位置の図であり、特に回転伝動軸２３２のＸ方向およびＺ方向の位置は一致する。
【００６１】
図１１Ａ、図１１Ｂおよび図１１Ｃに示すように、カバー２１１は、Ｙ方向の異なる位置において第一空間４０１および第二空間４０２を有する。なお、原稿検出用フォトセンサ２５１は、上記実施の形態の原稿検出用フォトセンサ５１と同様の構成である。
【００６２】
カバー２１１が開状態の場合を図１１Ａに基づいて説明する。図１１Ａ（ａ）に示すように、第一空間４０１において、回転検出部２３３は、回転伝動軸２３２を軸として回転し下方に垂れる。このとき回転検出部２３３は第一空間４０１の内部に収納される。一方で、図１１Ａ（ｂ）に示すように、センサ用爪部２３１は、原稿検出用フォトセンサ２５１の第一センシング領域２８１とは別の位置に位置する。
【００６３】
カバー２１１が閉状態かつ原稿が搬送開始位置９０にない場合を、図１１Ｂに基づいて説明する。図１１Ｂ（ａ）に示すように、カバー２１１が閉状態となり水平な状態となると、回転検出部２３３は、回転伝動軸２３２を軸として回転し下方に垂れる。このとき回転検出部２３３は一部が第一空間４０１の下方に出る。一方で、図１１Ｂ（ｂ）に示すように、センサ用爪部２３１は、回転検出部２３３の回転が回転伝動軸２３２によって伝えられることにより回転し、原稿検出用フォトセンサ２５１の第一センシング領域２８１に移動する。これにより、原稿検出センサ２２１は、カバー２１１が閉状態になったことを検出することができる。
【００６４】
カバー２１１が閉状態かつ原稿が搬送開始位置９０に挿入される場合を、図１１Ｃに基づいて説明する。図１１Ｃ（ａ）に示すように、回転検出部２３３が下方に垂れて第一空間４０１の下方に出た状態で、原稿が搬送開始位置９０に挿入されると、回転検出部２３３は搬送開始位置９０に配置された原稿に押し出されることによって、破線の状態から実線の状態となる。このとき、センサ用爪部２３１は、回転検出部２３３の回転が回転伝動軸２３２によって伝えられることにより回転し、原稿検出用フォトセンサ２５１の第一センシング領域２８１から第一センシング領域２８１以外の位置に移動する。
【００６５】
以上のように、原稿検出センサ２２１の構成であっても、上記実施の形態の原稿検出センサ２１と同様の効果を得ることができる。
【００６６】
（３）
また、上記変形例（２）では、原稿により押し出される回転検出部２３３と、原稿検出用フォトセンサ２５１に直接作用するセンサ用爪部２３１とが分離されているが、この形態に限らずに、一体型であってもよい。
【００６７】
図１２Ａは、変形例（３）におけるカバー３１１が開状態における原稿検出センサ３２１を示す図である。図１２Ｂは、変形例（３）におけるカバー３１１が閉状態であって原稿無しの場合における原稿検出センサ３２１を示す図である。図１２Ｃは変形例（３）におけるカバー３１１が閉状態であって原稿有りの場合における原稿検出センサ３２１を示す図である。
【００６８】
図１２Ａ、図１２Ｂおよび図１２Ｃに示すように、カバー３１１は、第三空間４０３を有する。原稿検出センサ２２１は、Ｌ字形状の爪部３３１と、原稿検出用フォトセンサ３５１とからなる。爪部３３１は、Ｚ方向に沿って延びる原稿検出用爪部３４１と、センサ用爪部３４２と、回転軸３４３とにより構成される。原稿検出用爪部３４１と、センサ用爪部３４２とは、互いに回転軸３４３で交わって一体となっており、Ｌ字型の形状をなす。なお、原稿検出用フォトセンサ３５１は、上記実施の形態の原稿検出用フォトセンサ５１と同様の構成である。
【００６９】
カバー３１１が開状態の場合を図１２Ａに基づいて説明する。図１２Ａに示すように、第三空間４０３において、爪部３３１は、回転軸３４３を軸として回転し原稿検出用爪部３４１が下方に垂れ、センサ用爪部３４２は、原稿検出用フォトセンサ３５１の第一センシング領域３８１とは別の位置に位置する。
【００７０】
カバー３１１が閉状態かつ原稿が搬送開始位置９０にない場合を、図１２Ｂに基づいて説明する。図１２Ｂに示すように、カバー３１１が閉状態となり水平な状態となると、原稿検出用爪部３４１は、回転軸３４３を軸として回転し下方に垂れる。このとき原稿検出用爪部３４１は一部が第三空間４０３の下方に出る。一方で、センサ用爪部３４２も回転し、原稿検出用フォトセンサ３５１の第一センシング領域３８１に移動する。これにより、原稿検出センサ３２１は、カバー３１１が閉状態になったことを検出することができる。
【００７１】
カバー３１１が閉状態かつ原稿が搬送開始位置９０に挿入される場合を、図１２Ｃに基づいて説明する。図１２Ｃに示すように、原稿検出用爪部３４１が下方に垂れて第一空間４０１の下方に出た状態で原稿が搬送開始位置９０に挿入されると、原稿検出用爪部３４１は搬送開始位置９０に配置された原稿に押し出されることによって、破線の状態から実線の状態となる。このとき、センサ用爪部３４２も一緒に回転し、原稿検出用フォトセンサ３５１の第一センシング領域３８１から第一センシング領域３８１以外の位置に移動する。
【００７２】
以上のように、原稿検出センサ３２１の構成であっても、上記実施の形態の原稿検出センサ２１と同様の効果を得ることができる。
【００７３】
（４）
上記実施の形態では、原稿が搬送経路７０の搬送開始位置９０にあることと、カバー１１が開状態であることとの少なくとも一方が起こっていることを検出するセンサとして原稿検出センサ２１を利用しているが、これに限らない。原稿検出センサ２１の代わりに、原稿検出センサ２１と同じ構成でＹ方向に異なる位置に配置される原稿幅検出センサ２５を利用しても良い。
【００７４】
（５）
上記実施の形態では、電源制御部１０１は、通常モード復帰処理のステップＳ１０２において原稿検出センサ２１が検出状態となった場合に、カバー開閉検出センサ２２とともに各種センサ２３〜２５の電源もオンにしているがこれに限らない。この第三のタイミングＴ３で各種センサ２３〜２５の電源をオンにせずにオフにしたままとしてもよい。なお、この場合においては、各種センサ２３〜２５は、原稿搬送部６１およびスキャナ部６２の電源と同じ動作を行うことが好ましい。つまり、ステップＳ１０８の第五のタイミングＴ５において、カバー１１が閉状態となっており、かつ、原稿の搬送経路７０の搬送開始位置９０に原稿が載置されていることが確認されてから、電源制御部１０１は各種センサ２３〜２５の電源をオンにしてもよい。これにより、ユーザが原稿の読取を開始させるために原稿が載置されたことを確認されなかった場合には、各種センサ２３〜２５も原稿搬送部６１およびスキャナ部６２と共に、電源をオフにしたままとすることができる。このため、消費電力を無駄に消費することをより低減することができる。
【００７５】
（６）
上記実施の形態では、電源制御部１０１は、自動原稿搬送装置１００が備えているが、これに限らずに、ネットワーク複合機１側に備えるようにしてもよい。
【産業上の利用可能性】
【００７６】
本発明は、より消費電力の少ない省エネモードを有する自動原稿搬送装置等として利用することができる。
【符号の説明】
【００７７】
１  ネットワーク複合機
１１、２１１、３１１  カバー
１２  給紙トレイ
１３  排紙トレイ
１４  本体部
１５  手前側カバー支持部
１６  奥側カバー支持部
２１、１２１、２２１、３２１  原稿検出センサ
２２  カバー開閉検出センサ
２３  読取検出センサ
２４  反転検出センサ
２５  原稿幅検出センサ
３０  原稿検出部
３１、２３１、３４２  センサ用爪部
３２、２３２  回転伝動軸
３３、３４１  原稿検出用爪部
３４  回転軸固定部
３５  カバー検出用爪部
４１  第一孔
４２  第二孔
５１、１５１、２５１、３５１  原稿検出用フォトセンサ
５２  カバー開閉検出用フォトセンサ
６１  原稿搬送部
６２  スキャナ部
７０  搬送経路
８１、１８１、２８１、３８１  第一センシング領域
８２  第二センシング領域
９０  搬送開始位置
１００  自動原稿搬送装置
１０１  電源制御部
１３１、３３１  爪部
１４１、３４３  回転軸
２３３  回転検出部
４０１  第一空間
４０２  第二空間
４０３  第三空間
Ｔ１  第一のタイミング
Ｔ２  第二のタイミング
Ｔ３  第三のタイミング
Ｔ４  第四のタイミング
Ｔ５  第五のタイミング
【図１】
0005817405.tif 000002
【図２】
0005817405.tif 000003
【図３】
0005817405.tif 000004
【図４】
0005817405.tif 000005
【図５】
0005817405.tif 000006
【図６】
0005817405.tif 000007
【図７】
0005817405.tif 000008
【図８】
0005817405.tif 000009
【図９】
0005817405.tif 000010
【図１０】
0005817405.tif 000011
【図１１Ａ】
0005817405.tif 000012
【図１１Ｂ】
0005817405.tif 000013
【図１１Ｃ】
0005817405.tif 000014
【図１２Ａ】
0005817405.tif 000015
【図１２Ｂ】
0005817405.tif 000016
【図１２Ｃ】
0005817405.tif 000017